(57)【特許請求の範囲】
【請求項１】
家具本体を上水平リンクとし、家具本体の両端にリンク支点で連結した２個の脚を垂直リンクとし、両垂直リンクに下水平リンクの両端をリンク支点で連結させて平行リンクを構成し、上水平リンクの一端を持ち上げて折りたたみ、折りたたんだ家具を他端の脚で支持する家具において、使用姿勢および折りたたみ姿勢においては上水平リンクと下水平リンクを当接させ、下水平リンクを折りたたみ操作時の持ち上げ側にリンク支点より外側へ延長して、その延長部分に固定ボルトを保持し、使用姿勢および折りたたみ姿勢において固定ボルトと係合締結する受けネジを上水平リンクに設けたことを特徴とする自立式折りたたみ家具。
【発明の詳細な説明】
【技術分野】
【０００１】  本発明は食卓やベッドなど家具の折りたたみ構造の改良に関する。
【背景技術】
【０００２】  食卓やベッドを、収納あるいは部屋の清掃・使い分けのために折りたたむことは古くより行われており、多数の出願がなされている。その中でも家具を側方に起こして自立させ、片側の脚で支持する方式は、家具本体を折りたたむことなく占有床面積を小さくして移動・収納に好都合である。しかしながら、これまでに提案されたものは機構的に複雑なものが多く、それゆえに金属部品を多用して高価であり、主として営業用に限られていた。【０００３】    平行リンク機構を天板の直下に収納したテーブルとして文献１がある。このテーブルではリンクの支点を下水平リンクの下方に位置させることによって下水平リンクを天板と脚上端との間に介在させるようにしている。そしてリンク機構を固定して天板と脚の姿勢を拘束するためには別途複雑なロック機構を設けてレバーで操作している。【０００４】  文献２では、平行リンクとは別に天板の一端に展開状態と折りたたみ状態をそれぞれ維持するための抑止機構を設けている。【０００５】文献３では、両脚を結ぶリンクを屈曲させ、途中に支点を設けてこの支点を天板裏面に沿ってスライドさせることによって、使用状態ではリンクが筋交の機能を発揮して姿勢を拘束し、倒立させた状態では脚とリンクと天板が平行に折りたたまれるようにしている。また、天板の端部を支持脚にピンで固定することによって折りたたみ姿勢を保持している。
【特許文献１】特公平７−７３５３５
【特許文献２】実公昭６２−４４６７０
【特許文献３】実公昭５５−０５１２９８
【発明の開示】
【発明が解決しようとする課題】
【０００６】  従来技術はいずれも展開状態（使用状態）あるいは折りたたみ状態を保持するために複雑なロック機構を備えている。それゆえに操作が煩わしく、家具としては金具類が目障りでもある。また必然的に高価となりほとんど普及していない。本発明の目的は一般の家庭において採用されるようなシンプルな構造で、確実・容易に開閉でき、意匠性にも優れた折りたたみ構造を提供することにある。
【課題を解決するための手段】
【０００７】  上記課題を解決するために、家具本体を平行リンクの上水平リンクとし、家具本体の両端にリンク支点で連結した２個の脚を垂直リンクとして、上水平リンクの一端を持ち上げて折りたたみ、折りたたんだ家具を他端の脚で支持する従来公知の折りたたみ家具を次のように改良した。【０００８】使用姿勢および折りたたみ姿勢においては、上水平リンクと下水平リンクを当接させるとともに、下水平リンクを折りたたみ操作時の持ち上げ側に、リンク支点より外側へ延長させて、その下水平リンクの延長部分に締結用の固定ボルトを保持させる。【０００９】そうして上水平リンクの、使用姿勢および折りたたみ姿勢の両姿勢において固定ボルトと係合する位置に、受けネジを設け、固定ボルトと受けネジを締結することによりそれぞれの姿勢を保持するようにした。
【発明の効果】
【００１０】  上記の改良の結果、極めてシンプルな構造であるにもかかわらず、折りたたみが容易で安定に自立する家具が実現した。リンク機構は目障りではなく、むしろ一目瞭然の機能美を有し、洋風にも和風にもデザインできる。とりわけ住空間に制約の大きい都市住民にとって利用価値のある折りたたみベッドやテーブルを安価に提供できるので、社会的貢献も大きい。
【発明を実施するための最良の形態】
【実施例１】
【００１１】  図１ないし図５に示す第１実施例によって本発明の構造原理を説明する。図１はベッドを広げた状態（ベッド使用時の姿勢）であり、図２はベッドを自立させるために折りたたむ途中の図である。折りたたむにはベッドの片側の辺の前に立って、ベッド本体の１側端を図２のごとく持ち上げる。図３はベッド本体を９０度起こして完全に折りたたみ、支持側の脚によって自立させた状態である。【００１２】  ベッド本体である上水平リンク１１には、リンク支点を設けるためにリンク支点部を支持側１２Ａと持ち上げ側１２Ｂにそれぞれ突出させてある。上水平リンク１１と、垂直リンクである支持側と持上げ側の脚２１、２２と、両脚間をつなぐ下水平リンク２３の４部材が平行リンクを形成している。すなわち図４に示すように、支持側の垂直リンク２１にはリンク支点１Ａとリンク支点２Ａがあり、持ち上げ側の垂直リンク２２にはリンク支点１Ｂとリンク支点２Ｂがある。リンク支点１Ａ、１Ｂは上側水平リンク１１と連結しており、リンク支点２Ａ、２Ｂは下水平リンク２３と連結している。４つのリンク支点１Ａ−１Ｂ−２Ｂ−２Ａ−１Ａを直線で結ぶと平行四辺形が形成される。このリンク構造はベッドの長手方向の両端に同一形状同一寸法で対称形に設けてある。【００１３】  支持側の垂直リンクである支持脚２１は脚台２４によって床面に接しており、姿勢を拘束されている。それゆえに平行リンクの作用により、他方の垂直リンクである持上げ側脚も姿勢を保ったままで図３のごとく折りたたまれるのである。支持脚２１と一体をなす脚台２４はベッドの幅方向に充分な長さを持たせてあるので容易に転倒する恐れは無い。また、持ち上げに要する力はベッドの自重の約半分に過ぎないので、ほかの形式の折りたたみベッドにおいて採用されているようなスプリング等の反撥駆動体がなくとも、容易に折りたたむ事が出来る。【００１４】  次に図５でロック機構について説明する。図５において左側は、ベッドを広げた状態（ベッド使用時の姿勢）である。下水平リンク２３は、折りたたみ操作時の持ち上げ側にリンク支点２Ｂよりも外側に延長してある。その延長部分には案内ネジ３２が装着されていて、これには固定ボルト３１があらかじめ螺合保持されている。固定ボルト３１をネジ送りすると、上水平リンク支持部持ち上げ側１２Ｂの中に同軸で装着されている受けネジ３３に螺合する。固定ボルトを締め付けることにより上下の水平リンクが固定され、ベッドはこの使用状態の姿勢を保持できる。【００１５】  ベッドを折りたたむときはまず、固定ボルト３１を緩めて、受けネジ３３から外れるまでネジを戻す。受けネジ３３と固定ボルト３１の連結が外れると、上下の水平リンク１１と２３は自由にリンク運動をすることが出来るようになる。固定ボルト３１は案内ネジ３２の中に保持され、散逸することはない。【００１６】  次にベッドの本体を９０度転回させると、図５の右に示すように下水平リンクは再度上水平リンク支持部持ち上げ側１２Ｂに当接する。ここで固定ボルト３１と同軸に装着されている受けネジ３４に固定ネジをねじ込み締め付けると、上下の水平リンクは固定されてベッドは折りたたんだ状態でロックされる。この状態からベッドを使用時の姿勢に戻すには、上記の手順を逆にたどればよい。【００１７】  次に平行四辺形の隅角について説明する。図５左図において、垂直リンク上の２つのリンク支点を結ぶ直線１Ｂ−２Ｂは、１Ｂを通る鉛直線（水平リンクに垂直な直線）から１Ｂを中心として反時計回りにＲ（本実施例では４５度）だけ回転している。この状態から上水平リンク１１を９０度引き起こして同右図の折りたたみ姿勢にすると、直線１Ｂ−２Ｂは鉛直線と成す角度は変わらないが、１Ｂを通る水平線からは時計回りにＳ（本実施例では４５度）だけ回転している。すなわち水平リンクを基準にすれば直線１Ｂ−２ＢはＲ＋Ｓ＝９０度だけ回転している。【００１８】  この９０度の転回の過程で、上下水平リンクの間隔は始点と終点では当接してゼロであり、中間の４５度転回したときが最大となる。本実施例においてＲ＝４５度としている理由はこの幾何学的な条件にある。すなわち上下の水平リンクを当接固定することによってそれぞれの姿勢を固定保持するのに好都合であり、最も単純な機構によって固定することが出来る故である。【００１９】  なお、このＲは４５度に限定されるものではなく、家具本体の形状や、姿勢のロック（固定）機構などに合わせて自由に選択できる。たとえば本実施例とは異なり脚が長い家具については、使用時の姿勢における上下水平リンクの間隔をできるだけ大きくして脚の安定を良くするために１０〜２０度の小さい角度が適している。あるいは逆に、座卓の様に使用状態において下水平リンクをできるだけ天板に近接させて床面との間を空けたいときには、脚の幅を広くしてＲを４５〜８０度とすることも可能である。また、折りたたみのための転回角も９０度に限定されるものではなく、家具の構造と折りたたみ姿勢の要求に合わせて９０度未満あるいは９０度を越えて自由に設定できることは言うまでもない。【００２０】  今までの、折りたたみベッドは、真中が折れて、逆Ｖ字型になるものが一般的である。逆Ｖ字型の方式では、折りたたむときにベッドの中央を持上げるという不自然な姿勢での動作を求められるので楽な仕事ではない。本発明のベッドの折りたたみ機構であれば片側の辺を自然な姿勢で持ち上げるので、腰を痛めることもない。また脚台２４にキャスターを装備すれば、自立状態にて部屋の隅に移動させるのも簡単であり、ベッドの下の掃除が楽に出来る。又スプリングのマットのようにベッド本体が重い場合でも一人で持ち上げ、折りたたむことが出来る。限られた床面積を有効に利用したいホテルなどにおいては特に経済効果が大きい。
【実施例２】
【００２１】  図６と７は本発明を座卓に適用した第２実施例を示す。本実施例では本体である上水平リンクと垂直リンクとの支点１Ａ、１Ｂに蝶番１３を使用することによって、支点１Ａ、１Ｂを脚の上端に設けることが出来た。さらに上記構造の変更により実施例１において必要であった上水平リンク支点部１２Ａ、１２Ｂを省くことが出来た。その結果図７に示すように固定ボルト３１を捻じ込む受けネジ３３、３４を上水平リンクである天板に直接植え込むことができる。【００２２】  リンク支点を結ぶ平行四辺形の隅角は実施例１と同じであり、Ｒは４５度である。また折りたたみのための転回角も同じく９０度である。従って当然ながら使用姿勢と折りたたみ姿勢において上下水平リンク１１、２３は当接しているので、使用姿勢では床面との間に最大の空間を作っている。その他各部材の、折りたたみにおける作用と動きは実施例１と同じであるので説明を省略する。【００２３】  今までの座卓は収納するときに脚を内側に折る構造のものが一般的であった。そのような方式では座卓を立てたとき、座卓の角が直接床にあたるので座卓の角に傷がつきやすい。本発明はそのようなおそれは無く、スムーズに折りたたむことが出来る。その上に、自立させた姿は均衡がとれて意匠性が高く、天板に美しい木目をあしらうと、衝立としても使用できるほどの装飾性をもっている。
【図面の簡単な説明】
【００２４】
【図１】本願発明実施例１のベッドの使用状態を示す斜視図。
【図２】同ベッドの一端を持ち上げて折りたたむ状況の説明図。
【図３】同ベッドの自立折りたたみ状態を示す斜視図。
【図４】同ベッドの使用状態におけるリンクの構造を示す正面図。
【図５】同ベッドのロック機構を示す正面図。
【図６】本願発明実施例２の座卓の使用状態を示す斜視図。
【図７】同座卓のロック機構を示す正面図。
【符号の説明】
【００２５】  １    家具本体
１Ａ    支持脚リンク支点
２Ａ    支持脚リンク支点
１Ｂ    持ち上げ脚リンク支点
２Ｂ    持ち上げ脚リンク支点
１１    上水平リンク
１２Ａ  上水平リンク支点部支持側
１２Ｂ  上水平リンク支点部持ち上げ側
１３    蝶番
２１    支持脚（垂直リンク）
２２    持ち上げ脚（垂直リンク）
２３    下水平リンク
２４    脚台
３１    固定ボルト
３２    案内ネジ
３３    受けネジ（使用姿勢時）
３４    受けネジ（自立姿勢時）
【図１】
0004355826.tif 000002
【図２】
0004355826.tif 000003
【図３】
0004355826.tif 000004
【図４】
0004355826.tif 000005
【図５】
0004355826.tif 000006
【図６】
0004355826.tif 000007
【図７】
0004355826.tif 000008